(57)【特許請求の範囲】
【請求項１】
受信した情報を制御する情報受信装置であって、
所定の情報提供者より伝送されてくる情報を受信する受信手段と、
伝送されてくる少なくとも１枚の仮想画面の情報を記憶する記憶手段と、
前記記憶手段に記憶された仮想画面の少なくとも一部の範囲の画像を表示する表示手段と、
前記情報受信装置の動きに基づいて前記仮想画面の範囲の一部の範囲を前記表示手段に表示させる範囲として指定する指定手段と、
前記表示手段に表示されている画像を、光学的に拡大して使用者に視認させる視認手段と、
使用者の操作に対応して操作信号を発生する１つの操作手段と、
前記操作手段が操作信号を発生したときに前記指定手段の表示範囲の指定により前記表示手段の表示領域の所定の位置に表示されている画像を選択し、選択した画像に対応する制御を行ったり、最初に前記仮想画面を前記表示手段の表示画面の大きさに縮小した縮小画面の情報を受信して表示し、前記操作手段が操作信号を発生したときに前記仮想画面の情報を更に受信して表示する制御を行う制御手段と
を備えることを特徴とする情報受信装置。
【請求項２】
前記指定手段は、前記表示手段の方向を判定するジャイロセンサを備える
ことを特徴とする請求項１に記載の情報受信装置。
【請求項３】
前記指定手段は、前記情報受信装置の回転方向を検出し、検出した前記受信装置の回転方向に対応する範囲を前記表示手段に表示させる範囲として指定する
ことを特徴とする請求項１に記載の情報受信装置。
【請求項４】
前記指定手段は、前記情報受信装置の回転によって発生するコリオリ力により発生する電圧に基づいて、前記情報受信装置の回転角速度を検出することにより、前記情報受信装置の回転方向を検出する
ことを特徴とする請求項３に記載の情報受信装置。
【請求項５】
前記制御手段は、前記表示手段の表示領域の所定の位置に表示されている画像の色を変更する制御を更に行う
ことを特徴とする請求項１に記載の情報受信装置。
【請求項６】
前記制御手段は、前記操作手段が操作信号を発生したとき前記表示手段の表示領域の中央に表示されている画像を選択する制御を行う
ことを特徴とする請求項１に記載の情報受信装置。
【請求項７】
受信された信号に基づいて前記情報受信装置の現在の位置を検出する位置検出手段を更に備える
ことを特徴とする請求項１に記載の情報受信装置。
【請求項８】
前記受信手段により受信された前記情報に含まれる音声情報を出力する出力手段を更に備える
ことを特徴とする請求項１に記載の情報受信装置。
【請求項９】
受信した情報を制御する情報受信装置の情報受信方法において、
所定の情報提供者より伝送されてくる情報を受信する受信ステップと、
伝送されてくる少なくとも１枚の仮想画面の情報を記憶する記憶ステップと、
前記記憶ステップで記憶された仮想画面の少なくとも一部の範囲の画像を表示手段に表示させる表示ステップと、
前記情報受信装置の動きに基づいて前記仮想画面の範囲の一部の範囲を前記表示手段に表示させる範囲として指定する指定ステップと、
前記表示ステップで表示されている画像を、光学的に拡大して使用者に視認させる拡大ステップと、
使用者の操作に対応して操作信号を発生する操作ステップと、
前記操作ステップで操作信号が発生されたときに前記指定ステップでの表示範囲の指定により前記表示手段の表示領域の所定の位置に表示されている画像を選択し、選択した画像に対応する制御を行ったり、最初に前記仮想画面を前記表示手段の表示画面の大きさに縮小した縮小画面の情報を受信して表示し、前記操作ステップで操作信号が発生されたときに前記仮想画面の情報を更に受信して表示する制御を行う制御ステップと
を備えることを特徴とする情報受信方法。
【発明の詳細な説明】
【０００１】
【発明の属する技術分野】
本発明は、情報受信装置および方法に関し、特に、移動通信網を利用して、インターネットなどを介して情報の提供を受け、受信することができるようにした、小型で携帯に便利な、情報受信装置および方法に関する。
【０００２】
【従来の技術】
最近、インターネットに代表される各種のネットワークが普及し、ネットワークを介して、各種の情報の提供を受けることができるようになってきた。このインターネットに対して、移動通信網を介してアクセスするようにすれば、このようなアクセスを行うことができる携帯端末を携帯することで、任意の移動先で情報の提供を受けることが可能となる。
【０００３】
【発明が解決しようとする課題】
しかしながら、従来のこのような携帯端末においては、受信した情報をＬＣＤなどの表示画面に表示し、使用者に、その画面を直接視認させるようにしている。また、提供されてきた情報の中から所望の情報を選択する入力を携帯端末において行う必要があるが、このような入力には、キーボード、マウス、ペンなどのポインティングデバイスを利用するようにしていた。その結果、装置をさらに小型化し、携帯に便利なようにすることが困難である課題があった。
【０００４】
本発明はこのような状況に鑑みてなされたものであり、より小型化を可能とし、携帯に便利な装置を提供することを目的とする。
【０００５】
【課題を解決するための手段】
請求項１に記載の情報受信装置は、所定の情報提供者より伝送されてくる情報を受信する受信手段と、伝送されてくる少なくとも１枚の仮想画面の情報を記憶する記憶手段と、記憶手段に記憶された仮想画面の少なくとも一部の範囲の画像を表示する表示手段と、情報受信装置の動きに基づいて仮想画面の範囲の一部の範囲を表示手段に表示させる範囲として指定する指定手段と、表示手段に表示されている画像を、光学的に拡大して使用者に視認させる視認手段と、使用者の操作に対応して操作信号を発生する１つの操作手段と、操作手段が操作信号を発生したときに指定手段の表示範囲の指定により表示手段の表示領域の所定の位置に表示されている画像を選択し、選択した画像に対応する制御を行ったり、最初に仮想画面を表示手段の表示画面の大きさに縮小した縮小画面の情報を受信して表示し、操作手段が操作信号を発生したときに仮想画面の情報を更に受信して表示する制御を行う制御手段とを備えることを特徴とする。
【０００６】
請求項９に記載の情報受信方法は、所定の情報提供者より伝送されてくる情報を受信する受信ステップと、伝送されてくる少なくとも１枚の仮想画面の情報を記憶する記憶ステップと、記憶ステップで記憶された仮想画面の少なくとも一部の範囲の画像を表示手段に表示させる表示ステップと、情報受信装置の動きに基づいて仮想画面の範囲の一部の範囲を表示手段に表示させる範囲として指定する指定ステップと、表示ステップで表示されている画像を、光学的に拡大して使用者に視認させる拡大ステップと、使用者の操作に対応して操作信号を発生する操作ステップと、操作ステップで操作信号が発生されたときに指定ステップでの表示範囲の指定により表示手段の表示領域の所定の位置に表示されている画像を選択し、選択した画像に対応する制御を行ったり、最初に仮想画面を表示手段の表示画面の大きさに縮小した縮小画面の情報を受信して表示し、操作ステップで操作信号が発生されたときに仮想画面の情報を更に受信して表示する制御を行う制御ステップとを備えることを特徴とする。
【０００７】
請求項１に記載の情報受信装置および請求項９に記載の情報受信方法においては、所定の情報提供者より伝送されてくる情報が受信され、伝送されてくる少なくとも１枚の仮想画面の情報が記憶され、記憶された仮想画面の少なくとも一部の範囲の画像が表示され、情報受信装置の動きに基づいて仮想画面の範囲の一部の範囲が表示手段に表示させる範囲として指定され、表示されている画像が、光学的に拡大され使用者に視認させられ、使用者の操作に対応して操作信号が発生され、操作信号が発生されたときに指定手段の表示範囲の指定により表示手段の表示領域の所定の位置に表示されている画像を選択し、選択した画像に対応する制御が行われたり、最初に仮想画面を表示手段の表示画面の大きさに縮小した縮小画面の情報が受信されて表示され、操作信号が発生されたときに仮想画面の情報を更に受信されて表示される制御が行われる。
【０００８】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。但し勿論この記載は、各手段を記載したものに限定することを意味するものではない。
【０００９】
請求項１に記載の情報受信装置は、所定の情報提供者より伝送されてくる情報を受信する受信手段（例えば、図７の通信部１７）と、伝送されてくる少なくとも１枚の仮想画面の情報を記憶する記憶手段（例えば、図７のＲＡＭ１６、ＨＤＤカード２４）と、記憶手段に記憶された仮想画面の少なくとも一部の範囲の画像を表示する表示手段（例えば、図７のＬＣＤ３）と、情報受信装置の動きに基づいて仮想画面の範囲の一部の範囲を表示手段に表示させる範囲として指定する指定手段（例えば、図７の３軸ジャイロセンサ１）と、表示手段に表示されている画像を、光学的に拡大して使用者に視認させる視認手段（例えば、図４のビューファインダ５３）と、使用者の操作に対応して操作信号を発生する１つの操作手段（例えば、図１の操作ボタン５２）と、操作手段が操作信号を発生したときに指定手段の表示範囲の指定により表示手段の表示領域の所定の位置に表示されている画像を選択し、選択した画像に対応する制御を行ったり、最初に仮想画面を表示手段の表示画面の大きさに縮小した縮小画面の情報を受信して表示し、操作手段が操作信号を発生したときに仮想画面の情報を更に受信して表示する制御を行う制御手段（例えば、図７のCPU１４）とを備えることを特徴とする。
【００１０】
請求項２に記載の情報受信装置は、仮想画面の範囲の一部の範囲を表示手段に表示させる範囲として指定する指定手段（例えば、図７の３軸ジャイロセンサ１）をさらに備えることを特徴とする。
【００１１】
請求項４に記載の情報受信装置は、指定手段は、表示手段に表示させる範囲を確定するとき操作される操作手段（例えば、図１の操作ボタン５２）をさらに備えることを特徴とする。
【００１２】
請求項７に記載の情報受信装置は、受信された信号に基づいて情報受信装置の現在の位置を検出する位置検出手段（例えば、GPSカード２２およびGPSアンテナ２３）を更に備えることを特徴とする。
請求項８に記載の情報受信装置は、受信手段により受信された情報に含まれる音声情報を出力する出力手段（例えば、図１のヘッドホン５４Ｌ，５４Ｒ）を更に備えることを特徴とする。
【００１３】
図１は、本発明の情報受信装置の構成例を示す斜視図である。この情報受信装置は、本体５１とヘッドホン５４Ｌ，５４Ｒにより構成されている。本体５１には、操作ボタン５２とビューファインダ５３が設けられている。操作ボタン５２は、各種の選択を確定するとき操作される。ビューファインダ５３は、使用者が表示画面を視認するとき、のぞき込むように使用される。本体５１で受信した信号のうち音声信号は、コード５５を介して左右のヘッドホン５４Ｌ，５４Ｒに供給されるようになされている。また、本体５１には、ストラップ５６が設けられており、例えば、図２に示すように、このストラップ５６を首にかけ、ヘッドホン５４Ｌ，５４Ｒを、それぞれ使用者の左右の耳に装着して、使用することができるようになされている。
【００１４】
図３は、使用者が、ビューファインダ５３をのぞいている状態を表している。このビューファインダ５３の中には、図４に示すように、所定の画像を表示するＬＣＤ３、このＬＣＤ３に表示されている画像を拡大して、使用者に視認させるためのレンズ７１（凸レンズ７１Ａと凹レンズ７１Ｂにより構成されている）、およびＬＣＤ３の表示画像を明るく視認させるためのバックライト３０が設けられている。使用者は、ＬＣＤ３の画像を、レンズ７１で拡大して視認することになるので、ＬＣＤ３自体は小さくても、より大きな画像として、これを視認することができる。なお、バックライト３０の後方には、後述する図７に示す各回路により構成されている回路部５１Ａが配置されている。
【００１５】
また、図５は、ビューファインダ５３から視認される範囲を模式的に表している。同図に示すように、ビューファインダ５３では、より大きな仮想画面６１のうちの一部の範囲を表示画面６２として見ることができるようになされている。そして、仮想画面６１のその他の領域を表示画面６２に表示させたい場合には、ビューファインダ５３（本体５１）を、その方向に向けさせるように使用される。例えば、図５において、仮想画面６１の右上方向の領域を表示画面６２に表示させたい場合には、本体５１を現在の位置から右上方向に傾ける操作が行われる。右下方向の範囲を表示画面６２に表示させたい場合には、本体５１を右下方向に向ける操作が行われる。
【００１６】
図６は、本体５１に情報を提供するシステムの構成例を示している。この構成例においては、サーバ（サイト）８１が、インターネット８２に接続されており、このインターネット８２には、また、プロバイダ８３が接続されている。本体５１は、図７を参照して後述するように、無線で電話回線を利用した通信を行うことができる通信部１７を有しており、基地局８５−１乃至８５−３のうち、最寄りの基地局（例えば、基地局８５−１）と通信を行い、この基地局８５−１から交換機８４を介してプロバイダ８３にアクセスする。そして、プロバイダ８３がさらに、インターネット８２を介してサーバ８１に接続する処理を行う。このようにして、本体５１とサーバ８１が接続され、サーバ８１から提供される情報が、インターネット８２を介してプロバイダ８３に供給され、プロバイダ８３から交換機８４、基地局８５−１を介して、無線で本体５１に伝送されるようになされている。
【００１７】
図７は、本体５１の内部の構成例を示すブロック図である。３軸ジャイロセンサ１は、Ｘ軸、Ｙ軸、Ｚ軸の各座標軸に対応した振動ジャイロ１ａ、１ｂ、１ｃを有している。
【００１８】
振動ジャイロは、振動している物体に回転角速度を加えると、その振動と直角方向にコリオリ力が生じる特性を有しており、このコリオリ力Ｆは、次のように表される。
【００１９】
Ｆ＝２ｍｖω
（ただし、ｍは質量、ｖは速度、ωは角速度）
【００２０】
従って、角速度ωは、コリオリ力Ｆに比例することになり、コリオリ力Ｆを検出することにより、回転角速度を検出することができる。
【００２１】
振動ジャイロ１ａには、駆動用圧電磁器４ａと検出用圧電磁器４ｂが設けられており、駆動用圧電磁器４ａにはオシレータ２５の発振出力である交番信号が印加されるようになされている。この状態で、振動ジャイロ１ａがθ方向に回転されると、検出用圧電磁器４ｂにコリオリ力Ｆが加わり、電圧Ｅが発生する。
【００２２】
検出用圧電磁器４ｂより出力される微小な電圧は、アンプ７において増幅され、Ａ／Ｄ変換器１０においてディジタルのデータとされる。
【００２３】
振動ジャイロ１ａに加わった角速度ωと、発生する電圧Ｅは、比例関係を有しており、例えば、Ｘ軸回りに右方向に回転させたとき、電圧Ｅが上昇し、左方向に回転させたとき、電圧Ｅが下降するように配置される。
【００２４】
振動ジャイロ１ｂ，１ｃについても、振動ジャイロ１ａの場合と基本的に同様であり、振動ジャイロ１ｂによってＹ軸回りの角速度が検出され、アンプ８において増幅された後、Ａ／Ｄ変換器１１においてディジタルのデータに変換される。同様に、振動ジャイロ１ｃによって、Ｚ軸回りの角速度が検出され、アンプ９において増幅された後、Ａ／Ｄ変換器１２においてディジタルのデータに変換される。
【００２５】
操作ボタン５２は、ユーザの操作に対応して操作信号を発生し、入出力インタフェース１３に供給するようになされている。ＣＰＵ１４は、バス２６を介して各種のＩＣなどと接続されている。ＲＯＭ１５は、装置全体のシステムプログラムの他、例えば、ワードプロセッサ機能用のカナ漢字変換プログラムおよびそのための辞書テーブルなどが書き込まれている。ＲＡＭ１６には、動作上必要なデータの他、受信データなどが随時記憶される。
【００２６】
ＬＣＤ３は、カラーＬＣＤコントローラ１８の制御により、所定の表示を行うようになされている。通信部１７はモデムを内蔵しており、アンテナ１７Ａを介して基地局８５と電話回線を利用した通信を行うようになされている。バックライト３０は、バックライトコントローラ１９の制御により、ＬＣＤ３を後方から照明するようになされている。
【００２７】
必要に応じて設けられるＰＣカードインタフェース２０にはコネクタ２７が設けられ、ＧＰＳ装置としてのＰＣＭＣＩＡ（Personal Computer Memory Card International Association）規格に適合したＰＣＭＣＩＡ型ＧＰＳカード（以下、単にＧＰＳカードと略記する）２２が挿入される。ＣＰＵ１４は、ＰＣカードインタフェース２０を介して、ＧＰＳカード２２とデータ、プログラム等の授受ができるようになされている。また、ＧＰＳカード２２には、ＧＰＳ衛星からの電波を受信し、対応する信号を出力するＧＰＳアンテナ２３が接続されるようになされている。ＧＰＳカード２２は、ＧＰＳアンテナ２３によって受信された信号に基づいて現在位置を検出し、現在位置に対応する位置データを出力するようになされている。
【００２８】
やはり、適宜、追加されるＰＣカードインタフェース２１にはコネクタ２８が設けられ、例えば記憶装置としてのＰＣＭＣＩＡ型ハードディスクカード（以下、単にＨＤＤカードと略記する）２４が接続されるようになされている。ＨＤＤカード２４には、受信データ等が記憶される。
【００２９】
また、入出力インタフェース１３は、Ａ／Ｄ変換器１０乃至１２より供給された３軸ジャイロセンサ１の検出信号をバス２６を介してＣＰＵ１４に供給するようになされている。また、操作ボタン５２より供給される操作信号を、バス２６を介してＣＰＵ１４に供給するようになされている。さらに、ＲＡＭ１６またはＨＤＤカード２４に記憶された受信データのうち、音声データの供給を受け、ヘッドホン５４Ｌ，５４Ｒに出力するようになされている。電池３１は、各部に必要な電力を供給している。
【００３０】
次に、図８と図９のフローチャートを参照して、その動作について説明する。図８は、本体５１（情報受信装置）の処理を表し、図９は、サーバ８１の処理を表している。
【００３１】
図８のフローチャートに示す処理は、本体５１の電源をオンしたとき開始される。最初に、ステップＳ１において、ＣＰＵ１４は、プロバイダ８３を介してサーバ８１に対してアクセスを行う。すなわち、ＲＯＭ１５またはＲＡＭ１６には、予め契約しているプロバイダ８３の電話番号と、サーバ８１のＵＲＬが登録されている。ＣＰＵ１４は、これを読み出し、通信部１７を制御して、最初にプロバイダ８３に対してアクセスさせる。基地局８５−１、交換機８４を介して、プロバイダ８３に対して電話回線が接続されたとき、ＣＰＵ１４は、さらにプロバイダ８３に対して、サーバ８１のＵＲＬを出力する。プロバイダ８３は、入力されたＵＲＬに対応してインターネット８２を介して、サーバ８１にアクセスする。
【００３２】
サーバ８１においては、図９のステップＳ２１において、このようにしてウェブスコープ（本体５１）からアクセスがあるまで待機し、アクセスがあったとき、ステップＳ２２において、通信確率処理を実行する。すなわち、これにより、サーバ８１と本体５１の間で、通信路が確立することになる。
【００３３】
本体５１においては、図８のステップＳ２において、通信が確立するまで待機し、通信が確立したとき、ステップＳ３に進み、メニュー画面のデータが受信されるまで待機する。
【００３４】
すなわち、サーバ８１は、図９のステップＳ２２において、通信確立処理を実行した後、ステップＳ２３に進み、メニュー画面データを本体５１に出力する。このメニュー画面データは、インターネット８２、プロバイダ８３、交換機８４、基地局８５−１を介して、本体５１に伝送される。
【００３５】
本体５１において、ＣＰＵ１４は、通信部１７を介して、このメニュー画面データが受信されるまでステップＳ３で待機し、メニュー画面データが受信されたとき、ステップＳ４に進み、受信したデータをＲＡＭ１６またはＨＤＤカード２４に記憶させる。このようにして、ＲＡＭ１６またはＨＤＤカード２４には、図５に仮想画面６１として示した画像データが記憶される。ＨＤＤカード２４が接続されている場合、比較的大きな記憶容量があるので、仮想画面６１のデータと、これを縮小し、表示画面６２に、その全体が表示できる大きさの縮小画面のデータを同時に伝送し、これを受信して記憶させるようにすることができる。ＨＤＤカード２４が装着されておらず、ＲＡＭ１６の記憶容量も必ずしも充分ではない場合には、最初に、仮想画面６１を表示画面６２の大きさに縮小した縮小画面のデータだけを受信し、その後で、例えば操作ボタン５２が操作されたとき、大きな（縮小していない）仮想画面６２のデータを受信するようにすることもできる。
【００３６】
次に、ステップＳ５に進み、本体５１のＣＰＵ１４は、３軸ジャイロセンサ１の出力から、本体５１の向けられている方向を読み取り、ステップＳ６において、その読み取られた方向に対応する範囲の画像データを、仮想画面６１の画像データの中から読み出し、これをカラーＬＣＤコントローラ１８を介してＬＣＤ３に出力し、表示させる。
【００３７】
なお、このとき、最初は（データ受信直後においては）、仮想画面６１の中央の画面を読み出し、表示させるようにすることも可能である。
【００３８】
ただし、仮想画面６１を表示画面６２の大きさに縮小した画面が伝送されてきている場合には、表示画面６２に仮想画面６１の全体が、１つの画面として表示される。
【００３９】
次に、ステップＳ７に進み、ＣＰＵ１４は、操作ボタン５２が操作されたか否かを判定し、操作されていない場合には、ステップＳ５に戻り、再び、３軸ジャイロセンサ１の出力から、本体５１の方向を読み取り、ステップＳ６において、その読み取った方向に対応する範囲の画像データを読み出し、ＬＣＤ３に出力し、表示させる。
【００４０】
すなわち、使用者は、仮想画面６１のうち、いま表示されていない範囲の画像を見たいときは、その方向に、本体５１を傾けるようにする。このようにすれば、仮想画面６１の所望の方向の画像をＬＣＤ３に表示させることができる。ただし、縮小した仮想画面が表示されているときは、その外周に残りの画像（未表示の画像）は存在しないので、本体５１を傾けても表示は変化しない。使用者は、このＬＣＤ３に表示された画像を、レンズ７１により拡大して視認することができる。
【００４１】
使用者は、所望の動作を選択するとき、その動作を選択するための画像（アイコン）を表示画面６２の所定の位置（この例の場合、中央）に位置するように、本体５１の方向を制御する。そして、選択したいと思うアイコンが表示画面６２の所望の位置（中央）に配置されたとき、操作ボタン５２をオンする。ステップＳ７で、操作ボタン５２がオンされたと判定された場合、ステップＳ８に進み、ＣＰＵ１４は、そのとき表示されているアイコンに対応する処理を実行する。
【００４２】
例えば、そのとき表示画面６２の中央に、次のメニュー画面を選択するためのアイコンが表示されているとき、ＣＰＵ１４は、そのアイコンの仮想画面６１内における位置座標、または、そのアイコンに対応する制御信号を、通信部１７を介してサーバ８１に出力する。
【００４３】
サーバ８１においては、図９のステップＳ２４において、本体５１から何らかの要求があるまで待機し、何らかの要求があったと判定された場合、ステップＳ２５に進み、その要求に対応する処理を実行する。例えば、いまの場合、他のメニューの伝送を要求する信号が入力されてきたので、その要求されたメニューに対応する画像を読み出し、これを本体５１に出力する。
【００４４】
本体５１においては、ステップＳ８で、これを通信部１７を介して受信し、再び、ＲＡＭ１６またはＨＤＤカード２４に記憶させる。その後、ステップＳ５に戻り、それ以降の処理を繰り返し実行する。
【００４５】
このように、装置の方向を検知し、所定の画像を、画面の所定の位置に配置した状態において、選択を行わせるようにすることにより、選択のためのボタンが１つだけでよくなり、より小型化することが可能となる。
【００４６】
次に、図１０乃至図３５を参照して、具体的なＬＣＤ３における表示例について説明する。図１０は、図１１乃至図３５に示す、各表示例の変化のフローを示すものである。本体５１の電源をオンしたとき、最初にＬＣＤ３には、例えば、図１１にフレーム１として示す画像が、サーバ８１から伝送されてきて表示される。なお、図１１乃至図３５において、略楕円形の形状をしているものが、本体５１（の正面）であり、その内部に表示されているのが、ビューファインダ５３を介して視認している画像である。楕円形の外側の画像は、本体５１を使用している場所の周囲の画像を表している。また、楕円形の図形の下に表示されている、ほぼ半円形の形状の画像は、操作ボタン５２を概念的に表したものである。
【００４７】
この図１１の表示例においては、中央に、サーチエンジン名としてＷｅｂ＆ｓｃｏｐｅサーチエンジンの文字が表示され、その上方に、音楽情報サービスサイト（サーバ）に対するアクセスを行うためのアイコン（選択画像）が表示されている。そして、その他、各方向にグルメ情報、タウン情報など、必要な情報の提供を受けるサイトにアクセスするためアイコンが表示されている。
【００４８】
いま、音楽情報サービスサイトにアクセスするものとすると、使用者は、本体５１を、音楽情報サービスサイトのアイコンが表示されている上方向に指向させる。これにより、ＬＣＤ３には、図１２にフレーム５として示すように、音楽情報サービスサイトにアクセスするためのアイコンが中央に位置するように表示される。
【００４９】
そこで、使用者が、操作ボタン５２をオンすると、ＣＰＵ１４は、音楽情報サービスサイトに対するアクセスを行う。通信路が形成されると、この音楽情報サービスサイトは、図１３にフレーム１７として示すような画像を伝送してくる。これがＬＣＤ３に出力され、表示される。この図１３の表示画面においては、例えば、その右上方向に、カタログ検索のためのアイコンが表示されている。従って、ここで、右上方向に本体５１を指向させれば、例えば、図１４にフレーム２２として示すように、カタログ検索のためのアイコンが中央に表示された状態となる。
【００５０】
また、図１３のフレーム１７の画面においては、その左下方向に、自己の好みに対応した音楽を集めたコーナを選択するためのマイフェイバリッツのアイコンが表示されている。従って、本体５１を左下方向に指向させれば、図１５にフレーム３８として示すように、マイフェイバリッツのアイコンが中央に表示された状態となる。
【００５１】
さらに、図１３のフレーム１７の画像において、その右下には、ヒットチャートを検索する場合のアイコンが表示されている。従って、本体５１を右下方向に指向させれば、図１６にフレーム５３として示すように、ヒットチャート検索のアイコンが中央に表示された状態となる。
【００５２】
また、図１３のフレーム１７の画面において、その上方には、クラブ音楽情報サービスのメニューを選択するためのアイコンが表示されている。従って、図１３のフレーム１７に示す画面において、上方向に、本体５１を指向させれば、図１７にフレーム６９として示すように、クラブ音楽情報サービスの選択アイコンが中央に表示された状態となる。
【００５３】
なお、これらの各アイコンは、周囲にあるとき所定の色で表示されているが、中央に配置されたとき、それまでの色とは異なる色で表示されるようになされている。このように、色を変化させることで、その色が変化したアイコンが、いま選択対象とされていることを使用者に認識させることができる。
【００５４】
図１４のフレーム２２の画面において、カタログ検索を行う場合の処理について、さらに説明する。図１４のフレーム２２の画面が表示されている状態において、操作ボタン５２を操作すると、図１８にフレーム８１として示す画面が表示される。この画面においては、ジャズ、ロック・ポップス、映画音楽、クラシックなどの検索すべきジャンルを決定することができる画面とされている。いま、ロック・ポップスを選択するものとすると、図１８のフレーム８１の画面が表示されている状態において、使用者は、本体５１を右上方向に指向させる。これにより、画像が、図１９にフレーム８４として示すように、ロック・ポップスのアイコンが中央に表示された状態の画像に変化する。この状態において、操作ボタン５２を操作すると、図２０にフレーム９５として示すような画像が、ＬＣＤ３に表示される。
【００５５】
この図２０のフレーム９５の画像においては、アーティスト名、タイトル、または曲名を選択するアイコンが表示されている。使用者が、いま、アーティスト名を選択するものとすると、図２０のフレーム９５の画像が表示された状態において、使用者は、本体５１を上方に指向させる。これにより、ＬＣＤ３の表示は、図２１にフレーム９９として示す状態に変化する。
【００５６】
この画像においては、アーティスト名のアイコンが中央に表示されている。そこで、この状態で、操作ボタン５２が操作されると、図２２にフレーム１１８として示すように、カタカナの五十音表が画面に表示された状態となる。そして、使用者は、このカタカナの五十音表の所望の文字が中央に位置するように、本体５１を指向させ、所望の文字が中央に表示されたとき、操作ボタン５２をオンする。このような操作を繰り返すことで、カタカナ文字で、アーティスト名を入力する。いまの場合、「アーテスト」の文字が入力されている。
【００５７】
次に、このようなアーティスト名の入力が完了したとき、使用者は、本体５１を五十音表の右上方向に指向させる。すると、そこには、図２３にフレーム１２２として示すように、「Ｇｏ」の文字を表示したボタン（アイコン）が表示されている。そして、この「Ｇｏ」のボタンが画面の中央に位置するように、本体５１の角度を調整した後、操作ボタン５２をオンすることにより、アーティスト名の入力を完了する。
【００５８】
アーティスト名の入力が完了すると、図２４にフレーム１３１として示すように、いま入力したアーティスト名の曲名情報が伝送されてきて、表示される。この状態において、使用者は、所望の曲名が画面の中央に位置するように、本体５１の角度を調整する。そして、所望の曲名が、画面の中央に表示された状態になったとき、操作ボタン５２をオンする。これにより、いま、例えば、「アルバム名９９９」が選択されている。
【００５９】
このような入力が行われると、いま、選択した音楽を提供する会社のサイトにアクセスが行われる。そして、その会社のサイトから、例えば、図２５にフレーム１３２として示すような画像が伝送されてきて、表示される。その後、さらに、そのサイトから、選択した曲（または、選択したアルバムに含まれる曲）の音楽データが伝送されてきて、適宜、ＲＡＭ１６に記憶される。また、画像データも伝送されてきて、ＲＡＭ１６に記憶される。音声データは、ＲＡＭ１６に記憶された場合は、そこから読み出され、記憶されない場合は、直接、入出力インタフェース１３を介して、ヘッドホン５４Ｌ，５４Ｒに出力される。また、画像データは、カラーＬＣＤコントローラ１８を介してＬＣＤ３に出力され、表示される。このようにして、例えば、図２６にフレーム１３４として示すような画像が表示される。この表示例では、曲タイトル（曲タイトルＸＸＸ）と歌詞（歌詞歌詞歌詞・・・）が表示されている。
【００６０】
このような状態において、使用者が、操作ボタン５２を、例えば３秒以上押し続けると、画面上には、図２７にフレーム１４０として示すように、Ｒｅｔｕｒｎ，Ｓｔｏｐ，Ｃｏｎｔｉｎｕｅ，登録の文字が表示されたメニューバーが表示される。使用者は、このように表示されたボタン（アイコン）の中から、所望のボタンを選択することで、所望の操作を行うことができる。例えば、Ｓｔｏｐのボタンを選択すれば、現在再生されている曲が停止される。また、例えば、図２８にフレーム１４９として示すように、「登録」のボタンを選択すれば、いま、再生されている曲が、マイフェイバリッツに登録される。すなわち、この音楽を提供している会社のサイトのデータベース中に、使用者のマイフェイバリッツのデータとして、この曲が登録される。このような登録が行われると、図２９にフレーム１５９として示すように、登録の確認を使用者によって行わせるために、「マイフェイバリッツに登録されました」のメッセージが表示される。
【００６１】
このようなマイフェイバリッツに対する登録を行うと、例えば、図１５にフレーム３８として示す、マイフェイバリッツの画像が表示された状態において、操作ボタン５２をオンすると、音楽会社のサイトは、その使用者のマイフェイバリッツとして登録された曲のタイトルを表す画像を伝送してくる。これにより、例えば、図３０にフレーム１６６として示すような画像がＬＣＤ３に表示される。この画像に示すように、図２８と図２９の表示画面で登録した「曲タイトルＸＸＸ」が、マイフェイバリッツの曲名に含まれている。
【００６２】
なお、使用者のマイフェイバリッツのデータは、本体５１のＲＡＭ１６にブックマークとして登録させるようにすることもできる。音楽に関する情報が、ＵＲＬ(Uniform Resource Locator)などのアドレスを有する場合、このＵＲＬも、ＲＡＭ１６に記憶しておく。そして、使用者が、このＲＡＭ１６に記憶されているマイフェイバリッツの中から所望の音楽を選択した場合、その音楽に対応するＵＲＬにアクセスするようにしてもよい。
【００６３】
一方、図１６のフレーム５３として示す、ヒットチャート検索のアイコンが表示されている状態において、操作ボタン５２が操作されると、図３１にフレーム１７３として示すような画像が伝送されてきて、表示される。この表示例においては、ロンドン、ロサンゼルス、ホンコンなどのトップ１０を選択したり、国内におけるトップ４０を選択するアイコンが表示されている。いま、国内のアイコンを選択するとすると、使用者は、本体５１を右上方向に指向させる。その結果、ＬＣＤ３の表示は、図３２にフレーム１７９として示すような状態に変化する。この状態においては、国内トップ４０のアイコンが画面の中央に表示された状態となっている。この状態において、操作ボタン５２が操作されると、サイトは、図３３において、フレーム１８８として示す画像を伝送してくる。この画像には、国内におけるシングル版のトップ４０の曲名のリストが表示されている。
【００６４】
その曲名の中から、所望の曲名が画面の中央にくるように、本体５１の角度を調整し、さらに操作ボタン５２を操作すると、その曲を提供するサイトにアクセスが行われる。そして、そのサイトは、例えば、図３４にフレーム１８９として示すような画像を伝送してくる。そして、この画像が、ＬＣＤ３に表示される。
【００６５】
さらに、そのサイトは、その指定された曲の音楽データと、対応する画像を伝送してくる。図３５のフレーム１９７の画像は、このようにして、いま、使用者が選択した曲の画像の表示例を示している。この表示例においても、選択した曲のアーティスト名（あああ）、その曲のタイトル（曲名ＡＢＣ）、およびその曲の歌詞（歌詞歌詞歌詞・・・）が表示されている。
【００６６】
また、図１７のフレーム６９で示すクラブ音楽情報サービスのアイコンが中央に表示されている状態において、操作ボタン５２が操作されると、そのサイトは、例えば、図３６にフレーム２０４として示すような画像を伝送してくる。この表示例においては、アーティスト、ディスクジョッキー（ＤＪ）などの個人的なサイトを検索することができるようになされている。
【００６７】
例えば、図３６にフレーム２０４として示す画像が表示されている状態において、「アーティストＢ」のサイトを選択するには、使用者は、本体５１を左上方向に指向させる。このようにすると、図３７にフレーム２０８として示すように、「アーティストＢ」のアイコンが画面の中央に表示された状態となる。このような状態において、使用者が、操作ボタン５２をオンすれば、図３８にフレーム２２５として示すような画像が、そのサイトから伝送されてきて表示される。
【００６８】
以上の実施の形態においては、主に、音楽情報を受信する場合を例として説明したが、例えば、ニアビデオオンディマンドとして利用することも可能である。また、本体５１側からアクセスを行うのではなく、例えば、インターネットラジオなどのように、ブロードキャストまたはマルチキャストとして、伝送されてくるものを受信するようにしてもよいことは勿論である。
【００６９】
また、本発明は、インターネットに代表されるネットワークを介して複数のテキストを相互に関連づけて参照したり、引用したりすることができるようにした、ハイパーメディア情報にも適用することができる。
【００７０】
【発明の効果】
以上の如く、請求項１に記載の情報受信装置および請求項９に記載の情報受信方法によれば、装置の小型化が可能となる。
【図面の簡単な説明】
【図１】  本発明の情報受信装置の外観の構成を示す斜視図である。
【図２】  図１の情報受信装置の使用状態を説明する図である。
【図３】  図１の情報受信装置の他の使用状態を説明する図である。
【図４】  図１の情報受信装置のビューファインダ５３の構成例を示す図である。
【図５】  仮想画面と表示画面の関係を説明する図である。
【図６】  図１の情報受信装置が使用されるシステムの全体の構成を示すブロック図である。
【図７】  図１の本体５１の内部の構成例を示すブロック図である。
【図８】  図７の本体５１の動作を説明するフローチャートである。
【図９】  図６のサーバ８１の動作を説明するフローチャートである。
【図１０】  表示の変化を説明する図である。
【図１１】  図１のビューファインダ５３の表示例を示すディスプレー上に表示した画像を示す図である。
【図１２】  図１のビューファインダ５３の表示例を示すディスプレー上に表示した画像を示す図である。
【図１３】  図１のビューファインダ５３の表示例を示すディスプレー上に表示した画像を示す図である。
【図１４】  図１のビューファインダ５３の表示例を示すディスプレー上に表示した画像を示す図である。
【図１５】  図１のビューファインダ５３の表示例を示すディスプレー上に表示した画像を示す図である。
【図１６】  図１のビューファインダ５３の表示例を示すディスプレー上に表示した画像を示す図である。
【図１７】  図１のビューファインダ５３の表示例を示すディスプレー上に表示した画像を示す図である。
【図１８】  図１のビューファインダ５３の表示例を示すディスプレー上に表示した画像を示す図である。
【図１９】  図１のビューファインダ５３の表示例を示すディスプレー上に表示した画像を示す図である。
【図２０】  図１のビューファインダ５３の表示例を示すディスプレー上に表示した画像を示す図である。
【図２１】  図１のビューファインダ５３の表示例を示すディスプレー上に表示した画像を示す図である。
【図２２】  図１のビューファインダ５３の表示例を示すディスプレー上に表示した画像を示す図である。
【図２３】  図１のビューファインダ５３の表示例を示すディスプレー上に表示した画像を示す図である。
【図２４】  図１のビューファインダ５３の表示例を示すディスプレー上に表示した画像を示す図である。
【図２５】  図１のビューファインダ５３の表示例を示すディスプレー上に表示した画像を示す図である。
【図２６】  図１のビューファインダ５３の表示例を示すディスプレー上に表示した画像を示す図である。
【図２７】  図１のビューファインダ５３の表示例を示すディスプレー上に表示した画像を示す図である。
【図２８】  図１のビューファインダ５３の表示例を示すディスプレー上に表示した画像を示す図である。
【図２９】  図１のビューファインダ５３の表示例を示すディスプレー上に表示した画像を示す図である。
【図３０】  図１のビューファインダ５３の表示例を示すディスプレー上に表示した画像を示す図である。
【図３１】  図１のビューファインダ５３の表示例を示すディスプレー上に表示した画像を示す図である。
【図３２】  図１のビューファインダ５３の表示例を示すディスプレー上に表示した画像を示す図である。
【図３３】  図１のビューファインダ５３の表示例を示すディスプレー上に表示した画像を示す図である。
【図３４】  図１のビューファインダ５３の表示例を示すディスプレー上に表示した画像を示す図である。
【図３５】  図１のビューファインダ５３の表示例を示すディスプレー上に表示した画像を示す図である。
【図３６】  図１のビューファインダ５３の表示例を示すディスプレー上に表示した画像を示す図である。
【図３７】  図１のビューファインダ５３の表示例を示すディスプレー上に表示した画像を示す図である。
【図３８】  図１のビューファインダ５３の表示例を示すディスプレー上に表示した画像を示す図である。
【図１】
0004096126.tif 000002
【図２】
0004096126.tif 000003
【図３】
0004096126.tif 000004
【図４】
0004096126.tif 000005
【図５】
0004096126.tif 000006
【図６】
0004096126.tif 000007
【図７】
0004096126.tif 000008
【図８】
0004096126.tif 000009
【図９】
0004096126.tif 000010
【図１０】
0004096126.tif 000011
【図１１】
0004096126.tif 000012
【図１２】
0004096126.tif 000013
【図１３】
0004096126.tif 000014
【図１４】
0004096126.tif 000015
【図１５】
0004096126.tif 000016
【図１６】
0004096126.tif 000017
【図１７】
0004096126.tif 000018
【図１８】
0004096126.tif 000019
【図１９】
0004096126.tif 000020
【図２０】
0004096126.tif 000021
【図２１】
0004096126.tif 000022
【図２２】
0004096126.tif 000023
【図２３】
0004096126.tif 000024
【図２４】
0004096126.tif 000025
【図２５】
0004096126.tif 000026
【図２６】
0004096126.tif 000027
【図２７】
0004096126.tif 000028
【図２８】
0004096126.tif 000029
【図２９】
0004096126.tif 000030
【図３０】
0004096126.tif 000031
【図３１】
0004096126.tif 000032
【図３２】
0004096126.tif 000033
【図３３】
0004096126.tif 000034
【図３４】
0004096126.tif 000035
【図３５】
0004096126.tif 000036
【図３６】
0004096126.tif 000037
【図３７】
0004096126.tif 000038
【図３８】
0004096126.tif 000039